(57)【要約】【課題】  緩衝装置を引戸の下端側に設け、この装置を制御するトリガーボルトを床側に設けることによって、既存の吊り引戸でも適用することができる指詰防止乃至跳ね返り防止機能及び引戸の振れ止め機能を奏し得る吊り引戸の閉鎖緩衝装置を提供すること。【解決手段】  引戸の下端側に取り付けられるケーシング内に水平状の溝と垂直状の溝から成り、両溝をアール曲線状の溝で連結したガイド溝を形成し、下方に第１爪片、第２爪片を有するカム板の２箇所に設けられたガイドピンを前記ガイド溝に挿通してカム板がガイド溝に案内されて傾動乃至水平直線運動するように構成すると共に、カム板の動きに制動を掛けるダンパー機構のピストンロッドをコ字状またはＵ字状に折り曲げてその先端を前記カム板に連結し、床側には前記カム板の第１爪片に当接してカム板の２個のガイドピンが水平状態になるようにするためと、引戸の下端に形成された溝を案内するためのトリガーボルトを有するトリガー装置を設けたことを特徴とする。【選択図】図４
2008308968.tif 000002
【特許請求の範囲】
【請求項１】
引戸の下端側に取り付けられるケーシング内に水平状の溝と垂直状の溝から成り、両溝をアール曲線状の溝で連結したガイド溝を形成し、下方に第１爪片、第２爪片を有するカム板の２箇所に設けられたガイドピンを前記ガイド溝に挿通してカム板がガイド溝に案内されて傾動乃至水平直線運動するように構成すると共に、カム板の動きに制動を掛けるダンパー機構のピストンロッドをコ字状またはＵ字状に折り曲げてその先端を前記カム板に連結し、床側には前記カム板の第１爪片に当接してカム板の２個のガイドピンが水平状態になるようにするためと、引戸の下端に形成された溝を案内するためのトリガーボルトを有するトリガー装置を設けたことを特徴とする吊り引戸の閉鎖緩衝装置。
【請求項２】
請求項１記載の吊り引戸の閉鎖緩衝装置において、前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトに傾斜面を形成したことを特徴とする請求項１記載の吊り引戸の閉鎖緩衝装置。
【発明の詳細な説明】
【技術分野】
【０００１】  本発明は、指詰防止乃至跳ね返り防止機能及び引戸の振れ止め機能のある吊り引戸の閉鎖緩衝装置に関するものである。
【背景技術】
【０００２】
【特許文献１】  特開２００５−３５０９１２号公報
【発明の開示】
【発明が解決しようとする課題】
【０００３】  従来からバリアフリーの引戸として使用される吊り引戸の閉鎖緩衝装置として例えば特開２００５−３５０９１２号公報に記載される発明があるが、この発明は、装置を引戸の上端に取り付ける必要上、装置を制御するトリガーボルトを吊りレール側に設ける必要があり、吊りレール内を転動するランナーが邪魔とならないように高さを大きくした特別な吊りレールを用意する必要があって、既存の吊り引戸では適用することができないという問題点があった。
【発明の目的】
【０００４】  本発明は緩衝装置を引戸の下端側に設け、この装置を制御するトリガーボルトを床側に設けることによって、既存の吊り引戸でも適用することができる指詰防止乃至跳ね返り防止機能及び引戸の振れ止め機能を奏し得る吊り引戸の閉鎖緩衝装置を提供することにある。
【０００５】  本発明の第２の目的は、緩衝装置に誤動作が生じても引戸を建具枠から外すことなく簡単に修正することができる吊り引戸の閉鎖緩衝装置を提供することにある。
【課題を解決するための手段】
【０００６】
【０００７】  本発明の請求項１の吊り引戸の閉鎖緩衝装置は、引戸の下端側に取り付けられるケーシング内に水平状の溝と垂直状の溝から成り、両溝をアール曲線状の溝で連結したガイド溝を形成し、下方に第１爪片、第２爪片を有するカム板の２箇所に設けられたガイドピンを前記ガイド溝に挿通してカム板がガイド溝に案内されて傾動乃至水平直線運動するように構成すると共に、カム板の動きに制動を掛けるダンパー機構のピストンロッドをコ字状またはＵ字状に折り曲げてその先端を前記カム板に連結し、床側には前記カム板の第１爪片に当接してカム板の２個のガイドピンが水平状態になるようにするためと、引戸の下端に形成された溝を案内するためのトリガーボルトを有するトリガー装置を設けたことを特徴とするものである。
【０００８】  また、本発明の第２の目的を達成するための請求項２の吊り引戸の閉鎖緩衝装置は、前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトに傾斜面を形成したことを特徴とするものである。
【発明の作用】
【０００９】  本発明の請求項１の吊り引戸の閉鎖緩衝装置では、引戸の手動による閉鎖途中に制動を掛けて指詰乃至跳ね返りを防止すると共に、引戸の下端に形成された溝を案内するためのトリガーボルトの作用で吊り引戸の横振れが防止される。
【００１０】  本発明の請求項２の吊り引戸の閉鎖緩衝装置では、カム板が誤動作しても手動による閉鎖動作の際にカム板の誤動作が修復されて基の緩衝閉鎖の態勢に復元することができる。
【実施例１】
【００１１】  図１は、本発明装置を取り付けた引戸の開放状態の全体正面図、図２は、本発明装置を取り付けた引戸の閉鎖状態の全体正面図、図３は、本発明装置の引戸開放時の状態を表わす側面図、図４は、同装置の引戸閉鎖途中の状態を表わす側面図、図５は、同装置の引戸閉鎖時の状態を表わす側面図、図６は、誤動作が生じたときのカム板とトリガー装置の関係を表わす側面図、図７は、本発明装置の他の実施例を表わす側面図である。【００１２】  図において、１は、鴨居Ａに取り付けられた吊りレールＡ−１内を転動するランナーＢ・・・Ｂに吊り下げられて左右に開閉移動する吊り引戸で、下端の戸尻側には後述する緩衝装置が取り付けられ、床側に取り付けられるトリガーボルトの案内溝となるような溝１−１が形成されている。【００１３】  ２は、前記溝１−１の戸尻側に取り付けられる緩衝装置のケーシングであって、引戸１の下端に形成された掘り込み孔に嵌め込まれて取り付けられるようになっている。【００１４】  ３は、ケーシング２の側板に形成されたガイド溝であって、水平状の溝３−１と垂直状の溝３−２から成り、両溝がアール曲線状の溝３−３で連結された形状となっている。【００１５】  ４は、下方に第１爪片４−１、第２爪片４−２を有するカム板であって、このカム板４の２箇所に設けられたガイドピン４ａ、４ｂが前記ガイド溝２に挿通され、このガイドピン４ａ、４ｂのガイド溝３内での動きによってカム板４が傾動乃至水平直線運動できるように構成されている。【００１６】  また、上記カム板４の第２爪片４−２にはカム板４が後述するような誤動作をしても手動による引戸の閉鎖動作の際にカム板の誤動作が修復されて自動緩衝閉鎖の態勢に復元させるための傾斜面４−２ａを形成してある。【００１７】  尚、本実施例では緩衝閉鎖の態勢に復元させるための傾斜面４−２ａをカム板４の第２爪片４−２に形成したが、後述するトリガー装置のトリガーボルトに形成してもよいし、第２爪片４−２及びトリガーボルト双方に形成してもよいものである。【００１８】  ５は、エアーシリンダー５−１及びピストンロッド５−２から構成されるカム板４に制動を掛けるダンパー機構であって、装置の横幅を狭くするためにピストンロッド５−２はコ字状またはＵ字状に折り曲げてある。【００１９】  ピストンロッド５−２をコ字状またはＵ字状に折り曲げてある理由は、引戸１を完全閉鎖したときに前記カム板４はケーシング２の端部つまり戸尻近傍にきていなければ、ケーシング２の端部が通常の幅の引戸では戸尻からはみ出るという問題点があるためである。【００２０】  つまり、図８のように従来の直線状のシリンダーロッドａを有する緩衝装置のケーシングｂを本発明装置のようにそのまま引戸の下端に取り付けた場合には引戸を完全閉鎖したときのトリガーボルトｃに係合した状態のカム板ｄはケーシングｂの中央寄りに位置することになるため、ケーシングｂ全体を隠すためには略ｚの長さだけ引戸の幅を広くしなければならなくなり、１枚引戸の場合には開口部の幅が狭くなり、２枚引戸の場合には引戸の重なり部分の幅が広くなるなどの不都合が生じるためであって、通常の幅の引戸で使用する場合には必須の要件となる。【００２１】  ６は、上��カム板４の動きを制御するトリガー装置であって、そのケーシング６ａが引戸１の全開、全閉時にその引戸１に隠されて見えない部分の床面Ｃに取り付けられ、そのトリガー６−１が前記引戸１の溝１−１を案内して引戸１の横振れを防止するようになっている。【００２２】  また、前記トリガー６−１はカム板４が誤動作して第２爪片４−２に当接したときケーシング６ａ内に後退するようにスプリング６−２を介して上下動自在に嵌装されている。【００２３】  次に、本発明装置による正常な作動状態を図について具体的に説明する。【００２４】  先ず、引戸１が開放しているときには、カム板４の一方のガイドピン４ｂはガイド溝３の垂直状の溝３−２の位置にあり、カム板４は図３のように傾いた状態にある。【００２５】  この状態においては、ガイドピン４ｂがガイド溝３の垂直状の溝３−２の位置でロックされてカム板４は動けず、ダンパー機構５のピストンロッド５−２は最大に伸ばされた侭の状態を保持している。【００２６】  この状態から引戸１を閉鎖位置の近傍まで閉めていくと、引戸１のトリガー装置のトリガーボルト６−１にカム板４の第１爪片４−１が当接する。【００２６】  この状態から更に引戸１を閉鎖方向に押してやると、カム板４はガイドピン４ａを支点として図４のように時計方向に傾動し、ガイドピン４ｂがガイド溝３の垂直状の溝３−２から外れることによってロックが解除され、両ガイドピン４ａ、４ｂは水平状の溝３−１に案内されることになり、トリガーボルト６−１は図４のようにカム板４の第１、第２爪片４−１、４−２の間に嵌った状態となり、この状態の侭完全閉鎖になるまで手動によって移動させるものである。【００２７】  尚、引戸１を開放状態から勢い良く閉めたときにはトリガーボルト６−１にカム板４の第１爪片４−１が激しく当接するが、ガイドピン４ｂがガイド溝３の垂直状の溝３−２から外れてロックが解除されるときにダンパー機構５のエアシリンダー５−１が衝突のエネルギーを吸収するため、引戸１にブレーキが掛かり、その後もダンパー機構５の緩衝作用によって完全閉鎖するまで緩やかに移動する。つまり、引戸は急激に閉鎖することがないので、戸先と柱Ｄとの間に指が挟まれ怪我をする指詰や、戸先が柱に当たって反動で再び開くという跳ね返りが防止される。【００２８】  図４の閉鎖状態において、引戸１を開放方向に押すと、トリガーボルト６−１に第２爪片４−２が当接しているので、カム板４は引戸１を開放方向に押す力によって右方向に移動し、ガイドピン３ｂがガイド溝２のアール曲線状の溝３−３の位置までくると、ガイドピン４ａを支点として反時計方向に傾動し、ガイドピン４ｂが垂直状の溝３−２の位置でロックされてカム板４は元の引戸１の開放状態に戻る。【００２９】  以上のように、引戸１の開閉の都度上記作動を反復して引戸の閉鎖時における緩衝作用を行うのである。【００３０】  而して、装置の正常な作動状態にあっては、引戸１が開放しているときには図３のように必ずカム板４のガイドピン４ｂが垂直状の溝３−２の位置にあってカム板３がロックされていなければならないのであるが、引戸の開閉時の衝撃等の何らかの影響によってカム板４が誤動作してガイドピン４ｂが垂直状の溝３−２の位置でロックされない状態の侭引戸１が開放された場合には、後述する作用により誤動作を解消できるようにしてある。【００３１】  即ち、正常な動作時は引戸１を開放するときに第２爪片４−２がトリガーボルト６−１に押されてカム板４が傾動するのであるが、カム板４の誤動作時には傾動しない侭引戸１が図６のような状態で開放してしまう。【００３２】  従来の改良していない装置にあっては、この状態の侭引戸１を閉鎖しようとすれば、カム板４の第２爪片４−２がトリガーボルト６−１に衝突してしまい、それ以上引戸１を閉鎖方向に押すことはできず、引戸１を完全に閉鎖することができない事態となり、引戸を建具枠から外して誤動作を解消する作業を要していた。【００３３】  本発明の請求項２の吊り引戸の閉鎖緩衝装置では、カム板４の第２爪片４−２に傾斜面４−２ａを形成し、ケーシング６ａ内にトリガーボルト６−１をスプリング６−２を介して上下動自在に嵌装したトリガー装置６が設けられているので、引戸１を手動で閉鎖するときにカム板４の第２爪片４−２がトリガーボルト６−１に衝突しても、第２爪片４−２の傾斜面４−２ａの作用によってトリガーボルト６−１がスプリング６−２の復元力に抗して上昇し、第２爪片４−２の上端を越えてカム板４の第１爪片４−１、第２爪片４−２の間にトリガーボルト６−１が入った図５の引戸１の閉鎖状態に復帰することになる。【００３４】  従って、誤動作が解消された後は正常な動作に復帰するもので、誤動作が発生しても引戸を一旦手動で閉める操作をするだけで誤動作が解消されるものである。【００３５】  尚、カム板４の誤動作を解消する手段として、第２爪片４−２の側面側に傾斜面を形成し、トリガーボルト６−１が第２爪片４−２に当接したとき、その傾斜面の作用で引戸が開閉方向と直交する方向に振れることによってトリガーボルト６−１を第２爪片４−２をすり抜けさせて第１爪片４−１、第２爪片４−２の間にトリガーボルト６−１が入った図３の引戸１の閉鎖状態に復帰させる方法等色々考えられたが、確実性の面から本発明の改良手段が最適であった。
【発明の効果】
【００３６】    以上述べたように、本発明の引戸の閉鎖緩衝装置によれば、引戸の下端側に取り付けられるケーシング内に水平状の溝と垂直状の溝から成り、両溝をアール曲線状の溝で連結したガイド溝を形成し、下方に第１爪片、第２爪片を有するカム板の２箇所に設けられたガイドピンを前記ガイド溝に挿通してカム板がガイド溝に案内されて傾動乃至水平直線運動するように構成すると共に、カム板の動きに制動を掛けるダンパー機構のピストンロッドをコ字状またはＵ字状に折り曲げてその先端を前記カム板に連結し、床側には前記カム板の第１爪片に当接してカム板の２個のガイドピンが水平状態になるようにするためと、引戸の下端に形成された溝を案内するためのトリガーボルトを有するトリガー装置を設けたもので、緩衝装置を引戸の下端側に設け、この装置を制御するトリガーボルトを床側に設けたことによって、吊リレール内を転動するランナーが邪魔とならないように高さを大きくした特別な吊りレールを用意する必要がなく、既存の吊り引戸にもそのまま適用することができる指詰防止乃至跳ね返り防止機能及び引戸の振れ止め機能を奏し得る吊り引戸の閉鎖緩衝装置を提供することできるものである。
【００３７】  また、請求項２の吊り引戸の閉鎖緩衝装置では、前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトに傾斜面を形成したものであるから、カム板が誤動作しても手動による閉鎖動作の際にカム板の誤動作が修復されて緩衝閉鎖の態勢に復元することができ、引戸を建具枠から外すことなく簡単に修正することができるという優れた効果を奏し得るものである。
【００３８】  尚、本発明は全て手動によって吊り引戸を開閉する場合の指詰防止乃至跳ね返り防止を目的とした発明であるが、図７のようにダンパー機構のピストンロッドを常時後退させる方向に付勢するスプリングＸを設けるか、または、ダンパー機構のシリンダー内にスプリングを内蔵させるようにすれば、手動による閉鎖途中から自動的に緩やかに閉鎖する半自動閉鎖装置に変更することも可能である。
【図面の簡単な説明】
【００３９】
【図１】  本発明装置を取り付けた引戸の開放状態の全体正面図である。
【図２】  本発明装置を取り付けた引戸の閉鎖状態の全体正面図である。
【図３】  本発明装置の引戸開放時の状態を表わす側面図である。
【図４】  同装置の引戸閉鎖時の状態を表わす側面図である。
【図５】  同装置の引戸閉鎖途中の状態を表わす側面図である。
【図６】  誤動作が生じたときのカム板とトリガー装置の関係を表わす側面図である。
【図７】  本発明装置の他の実施例を表わす側面図である。
【図８】  従来の緩衝装置を引戸下端に取り付けた状態を表わす側面図である。
【符号の説明】
【００４０】    １          吊り引戸
２          ケーシング
３          ガイド溝
４          カム板
５          ダンパー機構
６          トリガー装置
【図１】
2008308968.tif 000003
【図２】
2008308968.tif 000004
【図３】
2008308968.tif 000005
【図４】
2008308968.tif 000006
【図５】
2008308968.tif 000007
【図６】
2008308968.tif 000008
【図７】
2008308968.tif 000009
【図８】
2008308968.tif 000010